(57)【要約】  本発明が開示する動力釘打ち機（１０）用の釘マガジン（１２）は、一対の平行な側壁（４４）から形成された細長いハウジング（３４）を含み、これらの側壁は、その中に形成された複数の対向する細長いチャネル（４８ａ、４８ｂ、４８ｃ）を有し、これらは側壁（４４）の間にぴったり合う帯釘（５２）のヘッド（５０）を受け入れる複数の案内トラックを画定するように協働する。側壁（４４）は排出端部（５４）を有し、この排出端部から帯釘の釘（５２）が排出される。釘（５２）は、側壁（４４）の間に受け入れられた平板（５８）を含むばねプッシャ装置（５６）によって帯釘の排出端部（５４）に向かって片寄せられる。
2010509074.tif 000002
【特許請求の範囲】
【請求項１】
釘駆動エレメントを有する動力釘打ち機用の釘マガジンであって、前記マガジンは、一対の概ね平坦な平行側壁を含む細長いハウジングを含み、前記側壁は、その中に形成された複数の対向するチャネルを有し、前記チャネルの上、下、および間に側壁の平坦な部分によって帯釘のヘッドのために複数の案内トラックを画定するように協働し、前記側壁は排出端部を有し、前記マガジンは、前記側壁の間に位置する帯釘を前記排出端部に向かって推進するための手段を含み、前記推進手段は、前記側壁の間に受け入れられる比較的平坦な板と、前記板を帯釘に対して前記排出端部に向けて片寄せるための、前記側壁の外側にあって側壁の下で前記板に連結された片寄せ手段を含み、前記側壁は長手方向の底縁部を有し、前記板は前記縁部を通り過ぎて延び、前記板は、板を長手方向移動に導いて前記縁部に対する板の上向き移動を防止するための、前記長手方向底縁部の１つに係合する手段を含む、釘マガジン。
【請求項２】
請求項１に記載の釘マガジンにおいて、該マガジンは前記側壁の排出端部の近くに取り付けられた前壁を含み、前記前壁は、その中に形成されて側壁の横方向間隔に概ね相補的な排出スロットを有する、釘マガジン。
【請求項３】
請求項２に記載の釘マガジンにおいて、前記板が前記前壁に係合するための手段を含み、これによって前記片寄せ手段の作用で前記板の移動を制限する、釘マガジン。
【請求項４】
請求項３に記載の釘マガジンにおいて、前記長手方向縁部の１つと係合する前記手段、前記前壁に係合するための前記手段は前記長手方向縁部の前記１つの下に板の横方向に突出する平坦なフィンガを含む、釘マガジン。
【請求項５】
請求項４に記載の釘マガジンにおいて、該釘マガジンは前記前板に確保された釘案内板を含み、前記釘案内板は、スロットを出る釘を受け入れるために前記スロットに向かって開いた釘案内チャネルと、釘打ち機の釘駆動エレメントとを含む、釘マガジン。
【請求項６】
往復動釘エレメントを有していて、エレメント移動経路に位置する釘を駆動する動力釘打ち機用釘マガジンであって、前記マガジンは、帯釘を受け入れるための狭い長手方向スロットを中に画定する一対の平行な側壁を含む細長いハウジングを含み、前記スロットは、釘が通って突出できる開いた下端部を有し、前記側壁は、その中の形成された複数の長手方向に延びた対向するチャネルを有し、一方の側壁におけるチャネルは他方の側壁における対応するチャネルに対して開いて対向し、この間に帯釘における釘のヘッドを選択的に受け入れ、前記側壁は、前記チャネルの上、下、および間に比較的平坦な表面部分を有し、さらに釘排出端部と、前記端部に取り付けられた釘案内板とを有し、前記釘案内板は、この中に形成されて中に釘を受け入れるために側壁の間の前記スロットに向かって開いた釘案内チャネルを含み、また前記マガジンは、前記側壁の間のスロット内にある帯釘を前記排出端部に向かって推進するための手段を含み、これによって釘は前記釘案内チャネルの中に位置付けられ、前記推進手段は、前記側壁の間に受け入れられる比較的平坦な板と、前記板を前記スロット内の帯釘に対して前記排出端部に向けて片寄せるための、前記側壁の外側にあって側壁の下で前記板に連結された片寄せ手段を含む、釘マガジン。
【請求項７】
請求項６に記載の釘マガジンにおいて、該釘マガジンが、排出端部と釘案内板との間で、前記側壁の前記排出端部に取り付けられた前壁を含み、前記前壁は、その中に形成されて前記側壁の横方向間隔に概ね相補的な排出スロットを有し、前記釘案内板は、スロットを出る釘を受け入れるために前記スロットに向かって開いた釘案内チャネルと、釘打ち機の釘駆動エレメントとを含む、釘マガジン。
【請求項８】
請求項７に記載の釘マガジンにおいて、前記側壁が長手方向底縁部を有し、前記板が前記縁部を過ぎて延びている、釘マガジン。
【請求項９】
請求項８に記載の釘マガジンにおいて、前記板が、板を長手方向移動に導いて前記縁部に対する板の上向き移動を防止するための、前記縁部の１つに係合する手段を含む、釘マガジン。
【請求項１０】
請求項９に記載の釘マガジンにおいて、該釘マガジンが前記側壁の排出端部の近くに取り付けられた前壁を含み、前記前壁は、その中に形成されて側壁の横方向間隔に概ね相補的な排出スロットを有する、釘マガジン。
【請求項１１】
請求項９に記載の釘マガジンにおいて、前記板が前記前壁に係合するための手段を含み、これによって前記片寄せ手段の作用で前記板の移動を制限する、釘マガジン。
【発明の詳細な説明】
【０００１】    （発明の背景）
本発明は、動力釘打ち機用の釘マガジンに関し、さらに詳しくは複数の異なる長さの釘に適応するようにしたマガジンに関する。
【０００２】  動力釘打ち機は、電気式および空気式の両方がこれまで長年知られている。これらの釘打ち機は一般的には、帯状に連結された釘を保持するのに適したマガジンを含み、この帯釘は、駆動ヘッドを通じて進められて往復動ナイフまたはハンマによって係合される度に１つずつ駆動されることが可能である。一般的に、これらのマガジンは単一サイズの釘を保持するのに適しているので、その融通性は制限される。動力釘打ち機の中には、異なるサイズの釘を保持することができる釘マガジンを備えたものもあるが、これらは一般にかなりかさばり、製造するのに費用がかかる。またこれらは使用が困難なこともある。
【０００３】  本発明の目的は、いくつかの異なるサイズの釘に適応することができる動力釘打ち機用の釘マガジンを提供することである。
【０００４】  本発明の別の目的は、構造が比較的簡単な動力釘打ち機用の釘マガジンを提供することである。
【０００５】  本発明のさらに別の目的は、作るのに比較的安価であり、円滑で故障のない動作をもたらす動力釘打ち機用の釘マガジンを提供することである。
【０００６】    （発明の概要）
本発明による釘マガジンは、往復動釘駆動エレメントを有する動力釘打ち機に使用されるようになっていて、往復動釘駆動エレメントは、駆動エレメントの移動経路に位置する釘を駆動するようになっている。この駆動エレメントは、当業者には理解されるように、ソレノイドまたは電動機によって電気的に、または空気動で往復するハンマまたはナイフであってもよい。
【０００７】  マガジンは、一対の平行な側壁を含む細長いハウジングから形成され、これらの側壁はその間に、帯釘を受け入れるために狭い長手方向のスロットを画定する。釘は従来型の構造を有し、例えば１．２７ｃｍ〜２．５４ｃｍ（１／２インチ〜１インチ）の仕上げ釘であり、当技術分野では一般的である様に、適切な接着剤またはラッカーによって共に接着され得る。
【０００８】  ハウジングの長手方向スロットは開いた下端部を有し、これを通じて釘が突出する。側壁は、この中に形成された複数の長手方向に延びる対向するチャネルを有し、一方の側壁におけるチャネルは他方の側壁における対向チャネルに向かって開いており、これらの間に異なるサイズの帯釘における釘のヘッドを選択的に受け入れる。
【０００９】  ハウジングの側壁は釘排出端部を有し、この排出端部に釘ガイドが取り付けられている。ガイドには釘案内チャネルが形成されており、釘案内チャネルは側壁の間のスロットに向かって開いており、個別の釘を受け入れる。側壁の間に位置する帯釘を排出端部に向かって推進するために、ばねバイアス装置が設けられているので、釘は自動的に釘案内チャネルの中に位置付けられ、ここで駆動エレメントまたはナイフが釘と係合することができる。
【００１０】  本発明の上記およびその他の目的、特徴、および長所は、添付の図面を参照して読むべき本発明の例証となる実施形態の下記の詳細な説明から明らかになろう。
【００１１】  ここで図面を参照すると、まず図１には、本発明によって構成された釘マガジン１２を含む電気釘打ち機１０が図示されている。釘打ち機１０は、一般的に従来の方式で構成された電動ヘッド１５を中に含むハウジング１４を有する。電力は電源コード１８からヘッド１６に供給される。電動ヘッドを操作してマガジン１２の中に含まれる釘を打ち出すために、従来型の引金機構２０がハンドル２２の中に設けられている。電動ヘッド１６は周知の方法でソレノイド構造または電気駆動モータを備えており、マガジン１２内の釘のヘッドと係合するハンマまたはいわゆる「ナイフ」を往復運動させて、釘を工作物に打ち込む。
【００１２】  マガジン１２は、釘装入用後端部２４と動力ヘッド１６の近くに位置する前端部２６とを有する。図７の分解斜視図に示されるように、マガジン１２は外部ケーシング２８を有し、外部ケーシング２８は、図５、図６に示されるように概ねＶ形状の面３０と平行な側壁３２ａ、３２ｂとを有する。
【００１３】  ハウジング３４がケーシング２８の内部に受け入れられ、頂板３６によって適所に確保される。頂板は、ケーシング２８の頂縁部４２に形成されたタブ４０に圧入されている。
【００１４】  ハウジング３４は、一対の平行な側板４４ａ、４４ｂによって形成され、これらの側板の上端部には、カバー３６に形成された相補スロットの中にやはり圧入されるタブ４６が形成されている。
【００１５】  カバー３６は、釘打ち機のハウジング１４の内部に受け入れられ、通常の方式で、例えばハウジング内の溝などに受け入れられるカバー３６側部に沿ったフランジ３７を有することによって、ハウジングに確保される。
【００１６】  ハウジング３４の長手方向側壁４４は、図５、図６に示すようにこれらが互いにわずかに離隔するように形成されている。さらにこれらは図５、図６に示すように、互いに向かい合って開いた複数の長手方向に延びるチャネル４８ａ、４８ｂ、４８ｃを備えている。これらのチャネルは協働して、釘５２のヘッド５０を受け入れるために側壁の間に細長い空間を提供する。
【００１７】  例えば図４、図５に示すように、帯釘５２は側壁４４の間に画定されたスロットの中に受け入れられ、ヘッド５０はチャネル４８ｂの中に位置する。これらの帯釘は従来型の構造を有するものである。これらの釘は接着剤またはラッカーなどのコーティングによって形成されるので、帯釘は、釘が帯釘の端部から打ち出されるまで、その完全性を維持する。３組のチャネル４８を設けることによって、異なるサイズの帯釘をマガジン・ハウジング３４の中に受け入れて貯蔵することができる。したがって、図６に示すように、図５に示すものよりも短い帯釘が、その釘ヘッド５０が下方のチャネル４８ａの内部に捕捉された状態で示されている。
【００１８】  帯釘５２は、プッシャ組立品５６によってハウジング３４の排出端部５４に向かって片寄せられる。この組立品は平板５８から構成され、平板５８はその片側に形成された延長タブ６０を有する。プッシャ・ロッド６２はタブ６４の丸められたまたは円筒状の端部６３の中に滑動可能に受け入れられるので、平板５８はロッド６２の長さに沿って滑動することができる。ロッド６２の前端部６３は通常の方式でスエージ加工されるか杭で固定されることによって、スエージ加工部の背後の板とワッシャ６４との移動用留め具を形成して、障害になることを防止する。コイルばね６８がロッド６２を囲み、平板５８に対して片寄せ力を加えて、ロッドの前端部に向かって平板を押す。
【００１９】  帯釘がハウジング３４の中に置かれた後に、プッシャ組立品５６がハウジングの中に挿入される。釘はハウジングの後端組立品を通じて、側壁４４の間に形成されたスロットの中に導かれる。その後、プッシャ板５６はスロットの中に導かれて、帯釘に対して係合される。それからロッド６２は、その端部にあるフック７２がカバー３６上の後部タブ７６に形成された開口７４の中に係合できるまで、ケーシング２８の中に手動で前方に押される。これは、普通に入手できるステープル打ち機から当業者には知られている従来の掛け金装置である。こうして、板５６の前縁部７８は帯釘５２の後釘に対して係合して、マガジン内でこの帯釘を前方に押す。
【００２０】図４に示されるように、板５６の底端部８０は、側壁４４の間に形成されたスロットの底縁部８２の下に延びているので、その前縁部は、使用される帯釘の長さに関係なく帯釘の後部に完全に係合し、これによってマガジンにおける釘の傾きおよび詰まりを防止する。タブ６０は、図５、図６に示すようにハウジング３４の下に外向きに突き出て、部材４４ａの外側に沿って移動する。
【００２１】  ハウジング３４における板の滑動を案内するために、タブ８４が板５６の中にプレス加工によって形成されている。このタブは板４４の１つの底縁部８２に沿って動くことになり、板５６がハウジングの中で傾くことを防止する。さらに、タブの前端部８６は、これがマガジンの前壁に係合すると止め具として作用する。
【００２２】  マガジン３４は、ボルト９２によってケーシング１２の前端部に確保された前壁９０を備えており、ボルト９２は、ケーシング１２の上に形成されたタブ９４の中に形成されたねじ付き開口９３に係合している。前板９０にはスロット９５が形成され、このスロットによって釘は前壁を通過することができる。タブ８４の前端部８６は、帯釘中の最後の釘が排出されると壁９０の後端部と係合し、板の前端部が往復動ナイフの移動経路の中に入ることを防止する。
【００２３】  図４および図７に示すように、ケーシング１２の前端部はまた案内壁９６も含む。この案内壁にはチャネル９８が形成され、このチャネルは、駆動組立品の往復動ナイフ１００の移動経路内にある。ナイフ１００は図４では点線で示されている。チャネル９８は、図４に示すように帯釘の先頭の釘を受け入れ、この釘は組立品５６によってチャネルの位置の中へ片寄せられる。それから、釘を工作物に打ち込むために、ナイフは板９０、９６間の空間の中を往復運動することができる。
【００２４】  最後に、カバー１０２が組立品の壁９０、９６を覆って設けられ、３つのエレメントはすべてタブ９４に確保されたボルト９２によって適所に保持されている。
【００２５】  この配置によって、動力釘打ち機用の比較的簡単で、作るのに比較的容易で安価な、それでも使用上堅牢で信頼性の高い釘打ち機用マガジンが提供される。
【００２６】  本発明に関する例示的な実施形態を添付の図面を参照して説明したが、本発明がまさにこの実施形態に限定されるものではないこと、および本発明の意図の範囲から逸脱することなく、さまざまな変更と改訂が当業者によって実施されることを理解すべきである。
【図面の簡単な説明】
【図１】  本発明によって構成された釘マガジンを含む動力釘打ち機の斜視図である。
【図２】  図１に示す装置の側面図である。
【図３】  本発明によるマガジンの拡大斜視図である。
【図４】  図３の線４−４に沿った部分切欠断面図である。
【図５】  マガジンの中に含まれる２つの異なるサイズの釘を示す、図４の線５−５に沿った断面図である。
【図６】  マガジンの中に含まれる２つの異なるサイズの釘を示す、図４の線５−５に沿った断面図である。
【図７】  本発明のマガジンの分解斜視図である。
【図１】
2010509074.tif 000003
【図２】
2010509074.tif 000004
【図３】
2010509074.tif 000005
【図４】
2010509074.tif 000006
【図５】
2010509074.tif 000007
【図６】
2010509074.tif 000008
【図７】
2010509074.tif 000009
【国際調査報告】
2010509074.tif 000010